(57)【要約】【課題】受け手側の属性に対応して、訴求力のあるコンテンツを選択して提示する。【解決手段】店舗に設置されたサイネージ装置10で、コンテンツを出力する出力系32〜36，46，47と、店舗に関連したウェブサイトの評価情報を取得する無線ＬＡＮインタフェース48及びアンテナ49と、取得した評価情報に基づいて出力するコンテンツを切替えるＣＰＵ42とを備える。【選択図】図３
2017058902.tif 000002
【特許請求の範囲】
【請求項１】
店舗に設置されたコンテンツ出力装置であって、
上記店舗に関連したウェブサイトの評価情報を取得する取得手段と、
上記取得手段で得た評価情報に基づいてコンテンツを出力する出力手段と、
を備えることを特徴とするコンテンツ出力装置。
【請求項２】
上記取得手段が得る評価情報は、ソーシャル・ネットワーク・サービスからの情報に基づくことを特徴とする請求項１記載のコンテンツ出力装置。
【請求項３】
上記取得手段は、上記店舗に関連したウェブサイトの言語別の評価情報を取得し、
上記出力手段は、上記取得手段で得た言語別の評価情報に基づいてコンテンツの言語を切替える
ことを特徴とする請求項１または２記載のコンテンツ出力装置。
【請求項４】
上記取得手段は、上記店舗及び当該コンテンツ出力装置に関連したウェブサイトの評価情報を取得することを特徴とする請求項１乃至３いずれか記載のコンテンツ出力装置。
【請求項５】
店舗に設置された装置でのコンテンツ出力方法であって、
上記店舗に関連したウェブサイトの評価情報を取得する取得工程と、
上記取得工程で得た評価情報に基づいてコンテンツを出力する出力工程と、
を有することを特徴とするコンテンツ出力方法。
【請求項６】
店舗に設置された装置が内蔵するコンピュータが実行するプログラムであって、上記コンピュータを、
上記店舗に関連したウェブサイトの評価情報を取得する取得手段、及び
上記取得手段で得た評価情報に基づいてコンテンツを出力する出力手段、
として機能させることを特徴とするプログラム。
【発明の詳細な説明】
【技術分野】
【０００１】
本発明は、コンテンツ出力装置、コンテンツ出力方法及びプログラムに関する。
【背景技術】
【０００２】
従来、閲覧者に対して印象が高めることができる映像出力装置を提供するべく、例えば人型の形状をしたスクリーンに向けて映像コンテンツを出力するようにした技術があった。（例えば、特許文献１）
【先行技術文献】
【特許文献】
【０００３】
【特許文献１】特開２０１１−１５０２２１号公報
【発明の概要】
【発明が解決しようとする課題】
【０００４】
上記特許文献に記載された技術は、映像を投影するスクリーンの形状を矩形ではなく人型等にし、対応する形状の映像を投影することで閲覧者に対する印象を高めるようにしている。
【０００５】
このように一方的に映像を出力するのみであり、例えば映像中に合わせて投影する文字等の処理などは考えられていない。
【０００６】
本発明は上記のような実情に鑑みてなされたもので、その目的とするところは、受け手側の属性に対応して、訴求力のあるコンテンツを選択して提示することが可能なコンテンツ出力装置、コンテンツ出力方法及びプログラムを提供することにある。
【課題を解決するための手段】
【０００７】
本発明の一態様は、店舗に設置されたコンテンツ出力装置であって、上記店舗に関連したウェブサイトの評価情報を取得する取得手段と、上記取得手段で得た評価情報に基づいてコンテンツを出力する出力手段と、を備えることを特徴とする。
【発明の効果】
【０００８】
本発明によれば、受け手側の属性に対応して、訴求力のあるコンテンツを選択して提示することが可能となる。
【図面の簡単な説明】
【０００９】
【図１】本発明の一実施形態に係るサイネージシステム全体の接続構成を示すブロック図。
【図２】同実施形態に係るサイネージ装置単体の外観構成を示す斜視図。
【図３】同実施形態に係るサイネージ装置の主として電子回路の機能構成を示すブロック図。
【図４】同実施形態に係るＳＮＳサーバが実行する情報端末からのウェブサイトへのアクセスに対応する処理内容を示すフローチャート。
【図５】同実施形態に係るサイネージ装置が実行するコンテンツ出力の処理内容を示すフローチャート。
【発明を実施するための形態】
【００１０】
以下、本発明をサイネージ端末を店舗で使用するサイネージシステムに適用した場合の一実施形態について、図面を参照して説明する。
【００１１】
図１は、同システム全体の接続構成を示すブロック図である。複数の店舗に分散してサイネージ装置１０，１０，‥‥が設置される。これら複数のサイネージ装置１０，１０，‥‥が、コンテンツの再生出力端末として機能するもので、無線ＬＡＮやインターネットを含むネットワークＮＷを介して、外部の端末接続サーバＳＶ１と接続される。
【００１２】
端末接続サーバＳＶ１は、同じくネットワークＮＷを介してＳＮＳ（Ｓｏｃｉａｌ  Ｎｅｔｗｏｒｋｉｎｇ  Ｓｅｒｖｉｃｅ）サーバＳＶ２と接続され、このＳＮＳサーバＳＶ２から優先言語情報を取得する。端末接続サーバＳＶ１は、上記サイネージ装置１０，１０，‥‥個体毎に識別、認識しており、各サイネージ装置１０，１０，‥‥毎にＳＮＳサーバＳＶ２から取得した優先言語情報をサイネージ装置１０，１０，‥‥に対して送信する。
【００１３】
上記ＳＮＳサーバＳＶ２は、上記サイネージ装置１０，１０，‥‥毎に対応したＳＮＳのアカウントを作成しており、それらアカウントには複数言語別のウェブサイトを用意して公開しているものとする。各ウェブサイトには、いずれも「いいねボタン」が配置され、ウェブサイトの閲覧者により当該ボタンが操作された場合にはそのカウント値をカウントして、一定時間毎のカウント値を上記優先言語情報として上記端末接続サーバＳＶ１に送信する。
【００１４】
さらに上記ネットワークＮＷには、インターネット網が利用可能な接続環境にある情報端末としてのスマートフォン２０，２０，…やここでは図示しないパーソナルコンピュータ等が接続される。これら情報端末では、上記ＳＮＳサーバＳＶ２が提供する、上記サイネージ装置１０，１０，‥‥毎に対応したウェブサイトを自由に閲覧することができるものとする。
【００１５】
図２は、上記サイネージ装置１０単体の外観構成を示す斜視図である。サイネージ装置１０はプロジェクタ技術を用いた電子マネキンであり、装置筐体１０Ａの上面前端側に、交換可能なサイネージボードＳＢが立設される。このサイネージボードＳＢは、サイネージ１０の本来は矩形の投影可能領域内に収まるように設置された、任意形状を有する半透過板状の構成を有する。
【００１６】
サイネージボードＳＢは、装置筐体１０Ａの上面に設けられた、図示しないリアプロジェクション方式の投影レンズから出射された光像が背面側から投影されることで、例えば図示するような画像を表示する。
【００１７】
このサイネージボードＳＢの下部には複数、ここでは４個の操作ボタンＢ１〜Ｂ４を合わせて投影しており、当該ボタン中のいずれかを閲覧者がタッチ操作した場合、ボード取付け基部に配列された、それぞれが指向性を有するライン状の赤外線センサアレイ（図示せず）により当該操作位置が検知可能となっている。
【００１８】
本実施形態では、４個の操作ボタンＢ１〜Ｂ４が４つの言語、例えば日本語、英語、中国語、及び朝鮮語をその言語の文字で示しており、その順序に従ってサイネージボードＳＢの「吹出し」部分でも言語を選択するための操作を促すメッセージを該当する各言語で投影している。
【００１９】
さらに装置筐体１０Ａの前面には、このサイネージ装置１０の前面側の環境を撮影するための撮像部ＩＭを備える。
【００２０】
次に図３によりサイネージ１０の主として電子回路の機能構成を説明する。コンテンツメモリ３１には、例えば同一商品に関して複数の言語バージョンに対応した複数のコンテンツデータが記憶される。これらコンテンツデータはいずれも、画像データと音データ、及び制御データ等から構成される。コンテンツデータ中の画像データは、後述するＣＰＵ４２により読出され、システムバスＢＳを介して投影画像駆動部３２に送られる。
【００２１】
上記投影画像駆動部３２は、送られてきた画像データに応じて、所定のフォーマットに従ったフレームレート、例えば１２０［フレーム／秒］と色成分の分割数、及び表示階調数を乗算した、より高速な時分割駆動により、表示素子であるマイクロミラー素子３３を表示駆動する。
【００２２】
このマイクロミラー素子３３は、アレイ状に配列された複数個、例えばＷＸＧＡ（横１２８０画素×縦７６８画素）分の微小ミラーの各傾斜角度を個々に高速でオン／オフ動作して表示動作することで、その反射光により光像を形成する。
【００２３】
一方で、光源部３４から時分割でＲ，Ｇ，Ｂの原色光が循環的に出射される。光源部３４は、半導体発光素子であるＬＥＤを有し、Ｒ，Ｇ，Ｂの原色光を時分割で繰返し出射する。光源部３４が有するＬＥＤは、広義でのＬＥＤとして、ＬＤ（半導体レーザ）や有機ＥＬ素子を含むものとしても良い。この光源部３４からの原色光が、ミラー３５で反射して上記マイクロミラー素子３３に照射される。
【００２４】
そして、マイクロミラー素子３３での反射光で光像が形成され、形成された光像が投影レンズ部３６を介して上記サイネージボードＳＢの背面に投射される。
【００２５】
上記撮像部ＩＭは、サイネージ装置１０の正面方向を向いた広角系の撮影レンズ部３７、及びこの撮影レンズ部３７の焦点位置に配設された固体撮像素子であるＣＭＯＳイメージセンサ３８を含む。
【００２６】
ＣＭＯＳイメージセンサ３８で得られる画像信号は、Ａ／Ｄ変換器３９でデジタル化された後、撮影画像処理部４０に送られる。この撮影画像処理部４０は、上記ＣＭＯＳイメージセンサ３８を走査駆動して撮影動作を実行させ、撮影により得た画像データをデータファイル化して、後述するＣＰＵ４２に送出する。
【００２７】
上記各回路の動作すべてをＣＰＵ４２が制御する。このＣＰＵ４２は、メインメモリ４３及びプログラムメモリ４４と直接接続される。メインメモリ４３は、例えばＳＲＡＭで構成され、ＣＰＵ４２のワークメモリとして機能する。プログラムメモリ４４は、電気的書換可能な不揮発性メモリ、例えばフラッシュＲＯＭで構成され、ＣＰＵ４２が実行する動作プログラムや各種定型データ等を記憶する。
【００２８】
ＣＰＵ４２は、上記プログラムメモリ４４に記憶されている動作プログラムや定型データ等を読出し、メインメモリ４３に展開して記憶させた上で当該プログラムを実行することにより、このサイネージ装置１０を統括して制御する。
【００２９】
上記ＣＰＵ４２は、操作部４５からの操作信号に応じて各種投影動作を実行する。この操作部４５は、サイネージ装置１０の本体に備える、電源キーを含むいくつかの操作キーのキー操作信号、または上記サイネージボードＳＢの一部に仮想的に投影するボタンへの操作を検出する、上述した赤外線センサアレイからの検出信号を受付け、受付けた操作に応じた信号を上記ＣＰＵ４２へ送出する。
【００３０】
上記ＣＰＵ４２はさらに、上記システムバスＢＳを介して音処理部４６、無線ＬＡＮインタフェース（Ｉ／Ｆ）４８と接続される。  
音処理部４６は、ＰＣＭ音源等の音源回路を備え、投影動作時に上記コンテンツメモリ３１から読出されるコンテンツデータ中の音データをアナログ化し、スピーカ部４７を駆動して放音させ、あるいは必要によりビープ音等を発生させる。
【００３１】
無線ＬＡＮインタフェース４８は、無線ＬＡＮアンテナ４９を介して図示しない最寄りの無線ＬＡＮルータと接続し、データの送受を行なうもので、上記図１のネットワークＮＷを介して端末接続サーバＳＶ１と交信する。
【００３２】
なお、上記図１における端末接続サーバＳＶ１、ＳＮＳサーバＳＶ２をそれぞれ構成するサーバコンピュータ、上記スマートフォン２０並びに図示しないパーソナルコンピュータ等の情報端末装置それぞれのハードウェア回路の構成に関しては、いずれも周知の一般的なものと同様であるものとして、その図示及び説明を省略する。
【００３３】
次に上記実施形態の動作について説明する。  
図４は、上記ＳＮＳサーバＳＶ２で実行する、スマートフォン２０，２０，…やパーソナルコンピュータ等の情報端末からのアクセスに対応する処理内容を示す。その当初にＳＮＳサーバＳＶ２では、上記サイネージ装置１０，１０，‥‥のすべてに対応して用意しているアカウントの各ウェブサイトのいずれかに対し、情報端末からアクセスがあるか否かを判断する（ステップＳ１０１）。
【００３４】
ここでアクセスがないと判断した場合（ステップＳ１０１のＮｏ）、ＳＮＳサーバＳＶ２では次に、予め設定された集計タイミング、例えば集計周期が１時間で正時「００」分が設定されていれば正時、となったか否かを判断する（ステップＳ１０２）。予め設定された集計タイミングでないと判断した場合（ステップＳ１０２のＮｏ）、ＳＮＳサーバＳＶ２では再び上記ステップＳ１０１からの処理に戻る。
【００３５】
こうしてステップＳ１０１，Ｓ１０２の処理を繰返し実行しながら、情報端末からアクセスがあるか、または予め設定された集計タイミングとなるのを待機する。
【００３６】
情報端末からのアクセスがあったと判断した場合（ステップＳ１０１のＹｅｓ）、ＳＮＳサーバＳＶ２では次にアクセスがあったサイネージ装置１０のアカウントでウェブサイトの情報提供するべく、予め設定されていたウェブサイトのトップページの情報を取得すると共に（ステップＳ１０３）、その時点の直前の集計１周期で「いいねボタン」が最も多く操作された言語の選択情報を取得する（ステップＳ１０４）。
【００３７】
そして、取得した言語の選択情報に基づいてトップページを構成する画像と音声のコンテンツを作成し、アクセスしてきた情報端末に対して配信する（ステップＳ１０５）。
【００３８】
その後、配信したコンテンツに対して当該情報端末側で「いいねボタン」が操作されたか否かを判断し（ステップＳ１０６）、操作されたと判断した場合（ステップＳ１０６のＹｅｓ）にのみ、該当するサイネージ装置１０のアカウントと関連付けて、現時点で選択されている言語の「いいねボタン」が操作された回数をカウントするカウンタの値を「＋１」更新設定する（ステップＳ１０７）。
【００３９】
その後、ＳＮＳサーバＳＶ２はその時点で配信しているウェブページに対して行なわれる任意の操作を情報端末から受付けた上で（ステップＳ１０８）、当該操作がそのウェブサイトを離脱するための操作であるか否かを判断する（ステップＳ１０９）。
【００４０】
ここで情報端末で行なわれた操作がそのウェブサイトを離脱するための操作ではないと判断した場合（ステップＳ１０９のＮｏ）、ＳＮＳサーバＳＶ２では上記ステップＳ１０５からの処理に戻り、操作された内容に従って、その時点で選択されている言語でウェブページの情報を作成して当該情報端末に配信する。
【００４１】
また上記ステップＳ１０９において、情報端末で行なわれた操作がそのウェブサイトを離脱するための操作であると判断した場合（ステップＳ１０９のＹｅｓ）、ＳＮＳサーバＳＶ２での対応は終わるものとして上記ステップＳ１０１からの処理に戻る。
【００４２】
また上記ステップＳ１０２において、予め設定された集計タイミングとなったと判断した場合（ステップＳ１０２のＹｅｓ）、ＳＮＳサーバＳＶ２ではその集計周期内で全サイネージ装置１０，１０，‥‥のアカウント毎、選択された言語毎に「いいねボタン」が操作された回数の各カウント値を集計する（ステップＳ１１０）。
【００４３】
そして、その集計値を上記端末接続サーバＳＶ１に対して送信すると共に、当該集計値を次のウェブサイトへのアクセスに活用するべく保持しておく（ステップＳ１１１）。
【００４４】
その後、全サイネージ装置１０，１０，‥‥のアカウント毎、選択された言語毎に「いいねボタン」が操作された回数の各カウント値をクリアした上で（ステップＳ１１２）、再び上記ステップＳ１０１からの処理に戻る。
【００４５】
端末接続サーバＳＶ１は、ＳＮＳサーバＳＶ２から全サイネージ装置１０，１０，‥‥のアカウント毎、選択された言語毎の「いいねボタン」が操作された回数の集計値を受信すると、あらためてサイネージ装置１０，１０，‥‥のそれぞれに対して選択された言語毎の「いいねボタン」が操作された回数の集計値を優先言語情報として配信する。
【００４６】
図５は、店舗に設置された各サイネージ装置１０，１０，‥‥が個別に実行するコンテンツ出力を含む処理の内容を示すフローチャートである。このサイネージ装置１０での処理は、ＣＰＵ４２がプログラムメモリ４４に記憶されている動作プログラムや各種固定データ等を読出してメインメモリ４３に展開した上で実行する。
【００４７】
その当初にサイネージ装置１０では、ＣＰＵ４２がその時点で設定されている、言語選択を含むデフォルトのコンテンツ設定に従い、トップコンテンツのデータをコンテンツメモリ３１から読出してコンテンツの画像と音声とを再生出力する。
【００４８】
上記図２は、サイネージボードＳＢにサラリーマンのキャラクタ画像と合わせて「吹出し」部分でユーザに言語の選択を促す文字メッセージを、日本語、英語、中国語、及び朝鮮語で投影している状態を例示している。
【００４９】
ここでは当該吹出し部分の最上位置の日本語による文字メッセージが他の文字メッセージより大きく投影されており、日本語が優先順位の高い言語として選択されている状態を示す。操作ボタンＢ１〜Ｂ４においても、上記吹出し部分の順序と対応して、日本語、英語、中国語、及び朝鮮語を選択する画像が投影された状態を示している。
【００５０】
このように、上記ＳＮＳサーバＳＶ２で受付けた、当該サイネージ装置１０のアカウントに対応したウェブサイト上での「いいねボタン」の操作回数から、このサイネージ装置１０の利用者が使用する言語の優先順位を反映して、初見でより訴求力が高くなると思われるコンテンツ再生を実現できる。
【００５１】
このようなコンテンツ再生状態からＣＰＵ４２は、上記操作ボタンＢ１〜Ｂ４等を含む操作部４５によりユーザの操作があるか否かを判断する（ステップＳ２０２）。
【００５２】
ここでユーザの操作がないと判断した場合（ステップＳ２０２のＮｏ）、ＣＰＵ４２は次に無線ＬＡＮアンテナ４９、無線ＬＡＮインタフェース４８を介して上記端末接続サーバＳＶ１から優先言語情報の受信があったか否かを判断する（ステップＳ２０３）。
【００５３】
端末接続サーバＳＶ１からの受信がないと判断すると（ステップＳ２０３のＮｏ）、ＣＰＵ４２は再び上記ステップＳ２０２からの処理に戻る。
【００５４】
こうしてステップＳ２０２，Ｓ２０３の処理を繰返して実行しながら、ユーザによる操作がなされるか、または上記端末接続サーバＳＶ１から優先言語情報の受信があるのを待機する。
【００５５】
ユーザによる操作があったと判断した場合（ステップＳ２０２のＹｅｓ）、ＣＰＵ４２は当該操作が言語を選択するためのものであったか否かを判断する（ステップＳ２０４）。
【００５６】
ここで言語を選択するための操作がなされたと判断した場合（ステップＳ２０４のＹｅｓ）にのみ、ＣＰＵ４２は選択された言語に従ってあらたに対応するコンテンツのデータをコンテンツメモリ３１から読出してコンテンツの画像と音声とを再生出力して切替える（ステップＳ２０５）。
【００５７】
その後、操作される内容に応じて順次対応するコンテンツのデータをコンテンツメモリ３１から読出してコンテンツの画像と音声とを再生出力する処理を実行しながら（ステップＳ２０６）、コンテンツの再生を終了したか、あるいは終了を指示する操作がなされたか否かを判断する（ステップＳ２０７）。
【００５８】
コンテンツの再生を終了しておらず、且つ、終了を指示する操作もなされていないと判断した場合（ステップＳ２０７のＮｏ）、ＣＰＵ４２は再び上記ステップＳ２０６からの処理に戻り、以後ステップＳ２０６，Ｓ２０７の処理を繰返し実行することで、操作される内容に応じたコンテンツの再生出力を実行しながら、当該コンテンツが終了するのを待機する。
【００５９】
そして、コンテンツの再生が終了するか、あるいは終了を指示する操作がなされたと判断した時点（ステップＳ２０７のＹｅｓ）、再び上記ステップＳ２０１からの処理に戻り、その時点で設定されている、言語選択を含むデフォルトのコンテンツ設定に従い、トップコンテンツを再生出力する。
【００６０】
また上記ステップＳ２０３において、上記端末接続サーバＳＶ１から優先言語情報の受信があったと判断すると（ステップＳ２０３のＹｅｓ）、ＣＰＵ４２はその受信した優先言語情報の情報、具体的には上述した言語毎の「いいねボタン」操作の集計値に基づいて、言語選択を含むデフォルトのコンテンツの再設定を行なった上で（ステップＳ２０８）、再び上記ステップＳ２０１からの処理に戻り、あらたな設定内容でのトップコンテンツの再生出力に移行する。
【００６１】
以上詳述した如く本実施形態によれば、サイネージ装置１０の利用者の属性に対応して、より訴求力の高いコンテンツを選択して提示することが可能となる。
【００６２】
また上記実施形態では、各サイネージ装置１０，１０，‥‥に対する評価を、ソーシャル・ネットワーク・サービスの「いいねボタン」の操作に基づいて取得するものとしたので、サイネージ装置１０，１０，‥‥の利用者により気軽に評価してもらうことができ、信頼性の高い評価が期待できる。
【００６３】
さらに上記実施形態では、店舗に関連したウェブサイトの言語別の評価を取得し、その言語別の評価に基づいて、サイネージ装置１０，１０，‥‥で出力するコンテンツの言語を切替えるものとしたので、特に多くの言語が混在して使用されるような店舗において、より訴求力を高めたコンテンツでの宣伝やガイド等が実現できる。
【００６４】
また上記実施形態では、サイネージ装置１０，１０，‥‥が複数の店舗に分散して設置され、ＳＮＳサーバＳＶ２ではサイネージ装置１０，１０，‥‥の個体毎にアカウントを作成してその評価を取得するものとしたので、同一店舗で複数のサイネージ装置１０，１０，‥‥が設置される場合なども含めて、サイネージ装置１０，１０，‥‥の設置環境をきめ細かく反映して適切なコンテンツを提供できる。
【００６５】
なお上記実施形態では、端末接続サーバＳＶ１がＳＮＳサーバＳＶ２から受信した優先言語情報をサイネージ装置１０，１０，‥‥に配信する場合について説明したが、端末接続サーバＳＶ１の存在を廃し、各サイネージ装置１０，１０，‥‥が個別にＳＮＳアカウントを管理し、ＳＮＳサーバＳＶ２から直接優先言語情報を取得するような構成も考えられる。
【００６６】
また上記実施形態はＤＬＰ（登録商標）（Ｄｉｇｉｔａｌ  Ｌｉｇｈｔ  Ｐｒｏｃｅｓｓｉｎｇ）方式のプロジェクタ装置をコンテンツ出力装置に適用した場合について説明したが、本発明はコンテンツの出力形態等を限定するものではない。
【００６７】
その他、本発明は上述した実施形態に限定されるものではなく、実施段階ではその要旨を逸脱しない範囲で種々に変形することが可能である。また、上述した実施形態で実行される機能は可能な限り適宜組み合わせて実施しても良い。上述した実施形態には種々の段階が含まれており、開示される複数の構成要件による適宜の組み合せにより種々の発明が抽出され得る。例えば、実施形態に示される全構成要件からいくつかの構成要件が削除されても、効果が得られるのであれば、この構成要件が削除された構成が発明として抽出され得る。
【００６８】
以下に、本願出願の当初の特許請求の範囲に記載された発明を付記する。  
［請求項１］  
店舗に設置されたコンテンツ出力装置であって、  
上記店舗に関連したウェブサイトの評価情報を取得する取得手段と、  
上記取得手段で得た評価情報に基づいてコンテンツを出力する出力手段と、  
を備えることを特徴とするコンテンツ出力装置。  
［請求項２］  
上記取得手段が得る評価情報は、ソーシャル・ネットワーク・サービスからの情報に基づくことを特徴とする請求項１記載のコンテンツ出力装置。  
［請求項３］  
上記取得手段は、上記店舗に関連したウェブサイトの言語別の評価情報を取得し、  
上記出力手段は、上記取得手段で得た言語別の評価情報に基づいてコンテンツの言語を切替える  
ことを特徴とする請求項１または２記載のコンテンツ出力装置。  
［請求項４］  
上記取得手段は、上記店舗及び当該コンテンツ出力装置に関連したウェブサイトの評価情報を取得することを特徴とする請求項１乃至３いずれか記載のコンテンツ出力装置。  
［請求項５］  
店舗に設置された装置でのコンテンツ出力方法であって、  
上記店舗に関連したウェブサイトの評価情報を取得する取得工程と、  
上記取得工程で得た評価情報に基づいてコンテンツを出力する出力工程と、  
を有することを特徴とするコンテンツ出力方法。  
［請求項６］  
店舗に設置された装置が内蔵するコンピュータが実行するプログラムであって、上記コンピュータを、  
上記店舗に関連したウェブサイトの評価情報を取得する取得手段、及び  
上記取得手段で得た評価情報に基づいてコンテンツを出力する出力手段、  
として機能させることを特徴とするプログラム。
【符号の説明】
【００６９】
１０…サイネージ装置、
１０Ａ…装置筐体、
３１…コンテンツメモリ、
３２…投影画像駆動部、
３３…マイクロミラー素子、
３４…光源部、
３５…ミラー、
３６…投影レンズ部、
３７…撮影レンズ部、
３８…ＣＭＯＳイメージセンサ、
３９…Ａ／Ｄ変換器、
４０…撮影画像処理部、
４２…ＣＰＵ、
４３…メインメモリ、
４４…プログラムメモリ、
４５…操作部、
４６…音処理部、
４７…スピーカ部、
４８…無線ＬＡＮインタフェース（Ｉ／Ｆ）、
４９…無線ＬＡＮアンテナ、
Ｂ１〜Ｂ４…操作ボタン、
ＢＳ…システムバス、
ＩＭ…撮像部、
ＮＷ…ネットワーク、
ＳＢ…サイネージボード、
ＳＶ１…端末接続サーバ、
ＳＶ２…ＳＮＳサーバ。
【図１】
2017058902.tif 000003
【図２】
2017058902.tif 000004
【図３】
2017058902.tif 000005
【図４】
2017058902.tif 000006
【図５】
2017058902.tif 000007